(57)【要約】【課題】  患者の容体に応じてナースコール子機による呼び出しに優先度を発生させるナースコールシステムを提供する。【解決手段】  ナースコール子機１の呼出握りボタン１ｂに患者の体温を測定する体温測定部１２を組み込み、呼出握りボタン１ｂにより呼出操作されたら、呼出時に入手した体温情報を呼出信号と共に制御機４に送信し、制御機４において体温が正常であるかどうか判断する。異常値を示している場合は、その患者からの呼び出しを優先呼び出しとして他の呼び出しより優先させ、優先呼び出しの呼出信号を受けたナースコール親機３は、呼出報知を行うと共に親機表示部３１に優先呼び出しであることを表示する。【選択図】  図１
2008229172.tif 000002
【特許請求の範囲】
【請求項１】
看護師を呼び出すために病室の個々のベッドに設置されたナースコール子機と、前記ナースコール子機からの呼び出しを表示する廊下灯と、前記ナースコール子機からの呼び出しに応答するためにナースステーションに設置されたナースコール親機と、前記廊下灯と前記ナースコール親機との間の通信を制御する制御機とを有するナースコールシステムにおいて、
前記ナースコール子機に患者の生体情報を入手する生体情報入手手段を設けると共に、前記ナースコール親機又は前記制御機に、送信された生体情報の正常／異常を判定する生体情報判定手段、及び前記ナースコール子機による呼出順を制御する呼出制御手段を設け、
前記ナースコール子機の呼出操作により送信された生体情報が異常値であると判定されたら、当該患者からの呼び出しを他のナースコール子機からの呼び出しより優先させて呼出報知を行うことを特徴とするナースコールシステム。
【請求項２】
前記ナースコール親機は、前記生体情報判定手段が異常値と判定した場合に、呼出中の患者の測定値が異常値を示していることを看護師に通知するための生体情報通知手段を備えてなることを特徴とする請求項１に記載のナースコールシステム。
【請求項３】
前記廊下灯は、患者の生体情報を表示する患者情報表示部を有し、呼び出し中の患者の生体情報が、前記廊下灯の所定の操作により前記患者情報表示部に表示されることを特徴とする請求項１又は２記載のナースコールシステム。
【請求項４】
前記ナースコール子機は呼出握りボタンを備え、前記生体情報入手手段が前記呼出握りボタンに組み込まれて成ることを特徴とする請求項１乃至３の何れかに記載のナースコールシステム。
【発明の詳細な説明】
【技術分野】
【０００１】
本発明は、患者が看護師を呼出操作するナースコールシステムに関し、特に患者の容体に応じて優先呼び出しを行うナースコールシステムに関する。
【背景技術】
【０００２】
従来のナースコールシステムは、全てのナースコール子機を対等な関係としており、患者からの呼び出しが重なると一瞬でも先に呼び出しが成された方から順次ナースコール親機で呼出報知が成される。そのため、速やかな対応が望まれる呼び出しが後回しに成る場合があった。そこで、本件出願人は特許文献１に示す構成のナースコールシステムを提案した。これは、予め患者別に優先度を設定しておくもので、この設定により、重症患者からの呼び出し等を優先して受け付けることを可能とした。
【特許文献１】特開２００５−３４９０８８号公報
【発明の開示】
【発明が解決しようとする課題】
【０００３】
しかしながら、上記特許文献１の構成は、ナースコール親機の操作で予め優先順位を設定するため、優先順位が固定され、重傷患者の容体が安定した場合でも相変わらず優先呼び出しが行われた。また、優先度の低い患者の容体が急変して急ぎの処置が必要な呼び出しが発生しても、優先設定しない限り他と同列で呼出制御されるため、十分な対応ができない場合があった。これを無くす為には、頻繁に優先順位を書き換えれば良いが、書換作業をする看護師の負担が増すため難しかった。
【０００４】
そこで、本発明はこのような問題点に鑑み、患者の容体に応じてナースコール子機による呼び出しに優先度を自動発生させるナースコールシステムを提供することを目的とする。
【課題を解決するための手段】
【０００５】
上記課題を解決する為に、請求項１に記載の発明は、看護師を呼び出すために病室の個々のベッドに設置されたナースコール子機と、ナースコール子機からの呼び出しを表示する廊下灯と、ナースコール子機からの呼び出しに応答するためにナースステーションに設置されたナースコール親機と、廊下灯とナースコール親機との間の通信を制御する制御機とを有するナースコールシステムにおいて、ナースコール子機に患者の生体情報を入手する生体情報入手手段を設けると共に、ナースコール親機又は制御機に、送信された生体情報の正常／異常を判定する生体情報判定手段、及びナースコール子機による呼出順を制御する呼出制御手段を設け、ナースコール子機の呼出操作により送信された生体情報が異常値であると判定されたら、当該患者からの呼び出しを他のナースコール子機からの呼び出しより優先させて呼出報知を行うことを特徴とする。
この構成によれば、ナースコール子機により呼び出しが成された時点での患者の生体情報を入手して優先呼び出しの可否判断が成されるので、早急な対応が要求される患者に対しては速やかな呼出操作を実施でき、同時に複数の呼び出しが発生しても、看護師の適切な対応が可能となる。
【０００６】
請求項２の発明は、請求項１に記載の発明において、ナースコール親機は、生体情報判定手段が異常値と判定した場合に、呼出中の患者の測定値が異常値を示していることを看護師に通知するための生体情報通知手段を備えてなることを特徴とする。
この構成によれば、呼出中の患者は早急な対応を必要としている患者であることを看護師に知らせることができる。
【０００７】
請求項３の発明は、請求項１又は２記載の発明において、廊下灯は、患者の生体情報を表示する患者情報表示部を有し、呼び出し中の患者の生体情報が、廊下灯の所定の操作により患者情報表示部に表示されることを特徴とする。
この構成によれば、廊下灯で生体情報を見ることができるので、看護師は病室へ入る際に患者の状態を把握でき、適切な処置を行うことができる。
【０００８】
請求項４の発明は、請求項１乃至３の何れかに記載の発明において、ナースコール子機は呼出握りボタンを備え、生体情報入手手段が呼出握りボタンに組み込まれてなることを特徴とする。
この構成によれば、患者が呼出操作する際に呼出握りボタンが握られる。よって、患者に別途センサを装着しておくこと無く呼出操作時に生体情報を入手でき、患者に生体情報入手のために負担を与えるようなことがない。
【発明の効果】
【０００９】
本発明によれば、ナースコール子機により呼び出しが成された時点での患者の生体情報を入手して優先呼出の可否判断が成されるので、早急な対応が要求される患者に対しては速やかな対応が可能となり、同時に複数の呼び出しが発生しても、看護師は適切に対応することができる。
【発明を実施するための最良の形態】
【００１０】
以下、本発明を具体化した実施の形態を、図面に基づいて詳細に説明する。図１は本発明に係るナースコールシステムの一例を示す構成図であり、１は看護師を呼び出すためにベッド毎に設置されるナースコール子機、２は病室毎の出入口付近に設置されて患者からの呼び出しを表示する廊下灯、３は患者からの呼び出しを報知して応答するためにナースステーションに設置されるナースコール親機、４は廊下灯２とナースコール親機３との間の通信を制御する制御機、５は個々の看護師に呼び出しを通知するための無線設備である。無線設備５は、患者からの呼び出しに応答するために個々の看護師が携行する携帯型親機６と、携帯型親機６と通信を行うために所定間隔で設置された基地局７と、携帯型親機６と制御機４との間の通信を管理する交換機８とから構成されている。
【００１１】
ナースコール子機１は、個々のベッド近傍の壁面に設置されるプレート子機１ａと、プレート子機１ａに有線接続されて、患者が横になった状態で手元で操作できる呼出握りボタン１ｂとで構成されている。呼出握りボタン１ｂには、患者が看護師を呼び出すためのナースコールボタン１１と、ナースコールボタン１１を操作する際に生体情報を入手する生体情報入手手段としての体温測定部１２が取り付けられている。プレート子機１ａには、患者が音声を送信するための子機マイク１３と、患者が音声を受話するための子機スピーカ１４と、廊下灯２との音声通信及びデータ通信を行うための子機インターフェイス（子機ＩＦ）１５が設けられている。
【００１２】
尚、呼出握りボタン１ｂに体温測定部１２を組み込んでいるが、別途リストバンドやネックバンドを患者に常時装着させ、体温測定部をそれらに設けても良い。また、患者に常時リストバンド等を装着することで、生体情報として他に血圧や脈拍を測定する事も可能となる。
【００１３】
廊下灯２には、患者から呼び出しが成されたら看護師に点滅報知する呼出報知部２１と、対応する病室に入院している患者の患者情報や呼出信号に付加された体温測定値情報を記憶する廊下灯記憶部（図示せず）と、患者の患者情報を表示したり呼び出しを行った患者の体温測定値を表示するためのＬＣＤから成る患者情報表示部２２が設けられている。
【００１４】
ナースコール親機３は、患者情報を表示するＬＣＤから成る親機表示部３１と、表示を制御する表示部コントローラ３２と、患者と通話するための通話部３３と、患者の氏名、ベッド番号、診療科目等の患者情報を記憶する患者情報記憶部３４、担送・護送の救護区分等の看護情報記録部３５、ＣＰＵを備えてナースコール親機３の各部を制御する親機制御部３６、制御機４と通信するための親機インターフェイス（親機ＩＦ）３７を有している。尚、通話部３３は、患者からの呼び出しを受けて呼出音を報音するためのスピーカ、患者からの呼び出しに応答し通話を行う送受話器等を備えている。
【００１５】
制御機４は、患者情報、個々の患者の体温の正常値を記憶する制御機記憶装置４１と、ＣＰＵを備えて制御機４の各部を制御する制御機制御部４２と、廊下灯２と音声通信及びデータ通信を行うための制御機第１インターフェイス（制御機第１ＩＦ）４３、ナースコール親機３と音声通信とデータ通信を行うための制御機第２インターフェイス（制御機第２ＩＦ）４４、交換機８と音声通信とデータ通信を行うための制御機第３インターフェイス（制御機第３ＩＦ）４５とを備えている。
【００１６】
尚、患者個々の体温正常値の入力は、ナースコール親機３の操作で行われる。また、入手する生体情報が血圧値である場合は、血圧の正常範囲が入力されるし、心拍情報であれば心拍数の正常範囲が入力される。
【００１７】
携帯型親機６は、基地局７との間でＰＨＳ通信を実施し、受信した情報を基に呼び出しを行った患者の患者情報を表示する携帯表示部６ａと、患者からの呼び出しを報音し、患者と通話するための通話部（図示せず）を有している。
【００１８】
このように構成されたナースコールシステムの動作を以下説明する。ナースコール子機１のナースコールボタン１１が押されたら、体温測定部１２が起動して体温測定部１２を覆っている患者の掌から体温を測定する。体温測定部１２は測定値をデジタルデータに変換する信号生成部（図示せず）を備え、呼出信号に体温情報が付加されて子機ＩＦ１５から廊下灯２に送信される。廊下灯２は、この信号を受けて制御機４に送信すると共に、体温情報を廊下灯記憶部に記憶する。
【００１９】
呼出信号と共に体温情報を受信した制御機４は、制御機制御部４２の制御により受信した体温情報と制御機記憶装置４１に記憶されている患者別の体温の正常値（正常な範囲）とを比較し、測定値が正常値範囲から外れている場合は、優先呼出制御を実施する。一方、正常値範囲内の数値である場合は、通常呼び出しを実施する。優先呼び出しの場合は、通常ナースコール呼び出しよりも呼び出しが優先され、通常呼び出しが先に行われている時に優先呼び出しが発生した場合は、この呼び出しを中断して優先呼び出しを先に実施し、この応答が終了したら中断した通常呼び出しが再開される。
【００２０】
制御機４から送出される呼出信号は、制御機第１ＩＦ４３を介して廊下灯２へ、制御機第２ＩＦ４４を介してナースコール親機３へ、制御機第３ＩＦ４５を介して無線設備５へ夫々送信され、優先呼び出しの場合は、呼出信号に異常検知信号が付加されて、夫々の機器へ送信される。
【００２１】
ナースコール親機３は、制御機４からナースコール子機１の呼出信号を異常検知信号と共に取得すると、親機制御部３６の制御により、通話部３３のスピーカより呼出音を鳴動すると同時に、呼出信号に含まれるＩＤ情報を基に親機表示部３１に呼出操作をした患者の患者情報を表示すると共に、呼び出しが体温が異常値を示す優先呼び出しであることを、例えば「体温異常です」と表示する。この呼び出しに応答する看護師は、送受話器を使用してナースコール子機１を介して患者と通話が行われるが、このとき親機表示部３１を見た際優先呼び出しであることを認識できる。
【００２２】
一方、呼出信号と共に異常検知信号を受けた無線設備５の交換機８は、呼出信号に含まれるＩＤ情報を基に基地局７を介して特定の携帯型親機６へ送信する。この呼出信号を受信した携帯型親機６は、呼出音を鳴動すると同時に携帯表示部６ａにナースコール子機１からの呼び出しが優先呼び出しである旨を表示する。この呼出音を受けて応答操作する看護師は、所定の通話操作によりナースコール子機１と通話を実施でき、このとき携帯表示部６ａを見ることで優先呼び出しであることを認識できる。
【００２３】
更に、廊下灯２は、制御機４からナースコール子機１の呼出信号を異常検知信号と共に取得すると、呼出報知部２１を点滅させて呼出有りを報知し、呼び出しを受けて駆けつけた看護師により復旧ボタンの長押し等の所定の操作が成されると、ナースコールボタン１１の操作時にナースコール子機１から入手して記憶している患者の体温測定値を患者情報表示部２２に表示する。尚、呼出報知部２１の点滅に合わせて、廊下灯２の制御によりナースコール子機１では、呼び出しが行われていることを通知する呼出音が子機スピーカ１４より鳴動する。
【００２４】
このように、ナースコール子機により呼び出しが成された時点での患者の生体情報を入手して優先呼び出しの可否判断が成されるので、早急な対応が要求される患者に対しては速やかな呼出操作を実施でき、同時に複数の呼び出しが発生しても、看護師の適切な対応が可能となる。
また、優先呼び出しが成されていることがナースコール親機や携帯型親機で表示されるので、呼出中の患者は早急な対応を必要としていることを看護師に知らせることができる。そして、優先呼び出し状態にある患者の生体情報を廊下灯で見ることができるので、看護師は患者の状態を把握して適切な処置を行うことができる。
更に、患者が呼出操作する際に、呼出握りボタンを握る操作で生体情報を入手するため、患者に別途センサを装着しておく必要がなく、患者に負担を与えるようなことがない。
【００２５】
尚、上記実施形態は、優先呼び出しを実施した場合、ナースコール親機３は生体情報が異常値を示している事のみ表示する構成となっているが、呼出信号に添付された測定値情報から具体的な測定値を合わせて表示させても良い。また、優先呼び出しである場合、呼出音を通常呼び出しと異なる音としても良い。
また、制御機制御部４２が生体情報の正常／異常を判定しているが、ナースコール親機３において判定し、優先呼出制御を行っても良い。
【図面の簡単な説明】
【００２６】
【図１】本発明に係るナースコールシステムの実施形態の一例を示す構成図であり、一部ブロック図で示している。
【符号の説明】
【００２７】
１・・ナースコール子機、１ｂ・・呼出握りボタン、２・・廊下灯、３・・ナースコール親機、４・・制御機、６・・携帯型親機、１１・・ナースコールボタン、１２・・体温測定部（生体情報入手手段）、２２・・患者情報表示部、３１・・親機表示部（生体情報通知手段）、３４・・患者情報記憶部、３６・・親機制御部、４１・・制御機記憶装置、４２・・制御機制御部（生体情報判定手段、呼出制御手段）。
【図１】
2008229172.tif 000003